(57)【要約】【課題】  本発明は、簡易な方式で高速に光ディスクの回転を制動させることが可能な光ディスク記録再生装置を提供する。【解決手段】  制御部２０からの指示に応答して押圧機構１６が動作して摩擦部材１７をクランパ７５に当接する。クランパ７５に制動力が付与されると、クランパ７５によりターンテーブル８０および光ディスク７０に対しても制動力が付与される。そして、光ディスク７０の回転を高速に停止させるためにターンテーブルが回転する方向の回転方向と逆向きに回転力が付与されるようにモータの回転を所定期間制御する。【選択図】        図２
2007058953.tif 000002
【特許請求の範囲】
【請求項１】
装着されたディスクを回転させるためのモータと、
前記モータの回転軸と連結されて前記ディスクを回転させる回転テーブルと、
前記ディスクを介して前記回転テーブルと挟むように連結されたクランパと、
停止指示に応答して前記ディスクの回転の停止動作を制御する制御部と、
前記停止指示に応答して前記制御部の指示により、前記ディスクの回転を停止するために前記クランパの制動を制御する制動部とを備え、
前記制御部は、前記停止指示に応答して前記回転テーブルが回転している回転方向と逆向きに回転力を所定期間付与するように前記モータに指示し、
前記制動部は、
前記クランパに当接させるための摩擦部材と、
前記クランパに当接させる前記摩擦部材の位置を制御する機構部とを含み、
前記機構部は、
押下することにより前記摩擦部材を前記クランパに当接させるための押圧機構と、
指示に応答して前記押圧機構の押下を許可する押下制御部とを有する、光ディスク記録再生装置。
【請求項２】
装着されたディスクを回転させるためのモータと、
前記モータの回転軸と連結されて前記ディスクを回転させる回転テーブルと、
前記ディスクを介して前記回転テーブルと挟むように連結されたクランパと、
停止指示に応答して前記ディスクの回転の停止動作を制御する制御部と、
前記停止指示に応答して前記制御部の指示により、前記ディスクの回転を停止するために前記クランパの制動を制御する制動部とを備え、
前記制御部は、前記停止指示に応答して前記回転テーブルが回転している回転方向と逆向きに回転力を所定期間付与するように前記モータに指示する、光ディスク記録再生装置。
【請求項３】
前記制動部は、
前記クランパに当接させるための摩擦部材と、
前記クランパに当接させる前記摩擦部材の位置を制御する機構部とを含む、請求項２記載の光ディスク記録再生装置。
【請求項４】
前記機構部は、
押下することにより前記摩擦部材を前記クランパに当接させるための押圧機構と、
指示に応答して前記押圧機構の押下を許可する押下制御部とを含む、請求項３記載の光ディスク記録再生装置。
【発明の詳細な説明】
【技術分野】
【０００１】
本発明は、例えばＣＤ（Compact Disc）やＤＶＤ（Digital Versatile Disc）等の光ディスクに対して、情報の記録及び／又は再生を行なう光ディスク記録再生装置に関する。
【背景技術】
【０００２】
従来から、ＣＤやＤＶＤ等の同心円状又は渦巻状に情報記録トラックが形成された光ディスクに対し、光ピックアップと呼ばれる光ヘッドにより、情報の記録及び／又は再生を行なう光ディスク記録再生装置がある。光ピックアップは、半導体レーザ等の光ビームを対物レンズにより光ディスク上に集光照射すると共に、光ディスク上に照射した光の反射光を受光してそれに応じた電気信号を出力する構成となっており、光ディスクの半径方向に移動するようになっている。
【０００３】
光ディスク記録再生装置は、光ピックアップを光ディスク上の所定の位置へ移動させ、光ディスクを回転させながら、光ピックアップからの光を光ディスクの記録トラックに集光照射することで、光ディスクに対して情報の記録及び／又は再生を行なう。
【０００４】
光ディスクからの情報の再生にあたっては、まず、光ピックアップから照射する光の集光点が光ディスク面上に位置するようにフォーカスオン（フォーカス引き込み）させ、さらに、フォーカスオンさせた光が記録トラック上に位置するようにトラックオン（トラック引き込み）させる。これらフォーカスオン及びトラックオンは、光ピックアップから出力される電気信号に応じて、対物レンズを光ディスク面に垂直な方向及び記録トラックに垂直な方向に移動させることで行なわれる。そして、フォーカスオン及びトラックオンさせた状態で光ピックアップから出力される電気信号に基づいて、光ディスクに形成されているピットが検出され、これにより光ディスクから情報が読取られ、その情報が再生される。光ディスクへの情報の記録は、光ピックアップから光ディスク上に集光照射する光により、光ディスクの記録トラックにピットを形成することにより行なわれる。
【０００５】
一方、光ディスクの排出に際しては、モータの回転を停止することにより光ディスクの回転を停止することが必要である。この点で、高速回転している光ディスクを停止させる時間を短縮すればするほど排出動作の高速な実行が可能となる。
【０００６】
この点で、光ディスクの排出方式として種々提案されているが、特開２００４−２８１０４８号公報においては、光ディスクを載置して移動するディスクトレイのイジェクト動作時に制動部材との摩擦により制動して回転を停止させる方式が開示されている。特開平１１−３２８８４０号公報においては、ディスクカバーを開放する際にディスクと当接する制動部材を設けることにより光ディスクの回転を制動する方式が開示されている。
特開平５−２９８８１６号公報においては、イジェクト動作時にクランパを制動部材と接触させてクランパの制動により光ディスクの回転を停止する方式が開示されている。
【特許文献１】特開２００４−２８１０４８号公報
【特許文献２】特開平１１−３２８８４０号公報
【特許文献３】特開平５−２９８８１６号公報
【発明の開示】
【発明が解決しようとする課題】
【０００７】
しかしながら、たとえば、特許文献１に記載される方式においては、ディスクトレイのイジェクト動作時に制動部材との摩擦により光ディスクの回転を制動する方式が開示されているが、ディスクトレイに載置する際に回転したまま載置されると光ディスクが損傷を受けてしまう可能性や回転力でトレイから飛び出してしまう可能性がある。
【０００８】
また、特許文献２に記載される方式では、ディスクカバーを開放する際にディスクと当接する制動部材が設けられた構成が示されているが、光ディスクの円板の側面側と制動部材を接触させる方式であり、接触によっては回転力で光ディスクが飛び出す可能性がある。
【０００９】
特許文献３に記載される方式は、光ディスクの上面側の中心部に設けられているクランパの回転を制動することにより、光ディスクの回転を停止するものであり、安定的に光ディスクの回転を停止することが可能であるが、停止動作の際には、スピンドルモータは回転を停止した状態であり、光ディスクの回転はクランパと制動部材との接触にのみ依存してしまうことになる。
【００１０】
本発明は、上記のような問題を解決するためになされたものであって、簡易な方式で高速に光ディスクの回転を制動させることが可能な光ディスク記録再生装置を提供することを目的とする。
【課題を解決するための手段】
【００１１】
本発明に係る光ディスク記録再生装置は、装着されたディスクを回転させるためのモータと、モータの回転軸と連結されてディスクを回転させる回転テーブルと、ディスクを介して回転テーブルと挟むように連結されたクランパと、停止指示に応答してディスクの回転の停止動作を制御する制御部と、停止指示に応答して制御部の指示により、ディスクの回転を停止するためにクランパの制動を制御する制動部とを備える。制御部は、停止指示に応答して回転テーブルが回転している回転方向と逆向きに回転力を所定期間付与するようにモータに指示し、制動部は、クランパに当接させるための摩擦部材と、クランパに当接させる摩擦部材の位置を制御する機構部とを含み、機構部は、押下することにより摩擦部材をクランパに当接させるための押圧機構と、指示に応答して押圧機構の押下を許可する押下制御部とを有する。
【００１２】
本発明に係る光ディスク記録再生装置は、装着されたディスクを回転させるためのモータと、モータの回転軸と連結されてディスクを回転させる回転テーブルと、ディスクを介して回転テーブルと挟むように連結されたクランパと、停止指示に応答してディスクの回転の停止動作を制御する制御部と、停止指示に応答して制御部の指示により、ディスクの回転を停止するためにクランパの制動を制御する制動部とを備える。制御部は、停止指示に応答して回転テーブルが回転している回転方向と逆向きに回転力を所定期間付与するようにモータに指示する。
【００１３】
好ましくは、制動部は、クランパに当接させるための摩擦部材と、クランパに当接させる摩擦部材の位置を制御する機構部とを含む。
【００１４】
特に、機構部は、押下することにより摩擦部材をクランパに当接させるための押圧機構と、指示に応答して押圧機構の押下を許可する押下制御部とを有する。
【発明の効果】
【００１５】
本発明に係る光ディスク記録再生装置は、停止指示に応答して制御部の指示により、ディスクの回転を停止するためにクランパの制動を制御する制動部を備える。そして、制御部は、停止指示に応答して回転テーブルが回転している回転方向と逆向きに回転力を所定期間付与するようにモータに指示する。これにより、クランパの制動によりディスクの回転が制動されるとともに、モータが回転テーブルに対して逆向きに回転力を付与するためより高速に光ディスクの回転を停止させることができる。
【発明を実施するための最良の形態】
【００１６】
以下、本発明の実施の形態について図面を参照しながら詳細に説明する。なお、図中同一または相当部分には同一符号を付し、その説明は繰返さない。
【００１７】
図１は、本発明の実施の形態に従う光ディスク記録再生装置の概略ブロック図である。
図１を参照して、光ディスク記録再生装置１は、ＣＤやＤＶＤ等の同心円状又は渦巻状の情報記録トラックが形成された光ディスク７０に対して、音楽や映像等の情報の記録及び／又は再生を行なう。
【００１８】
光ディスク記録再生装置１は、ディスク挿入検知部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク記録再生装置１は、映像・音声信号入出力部１０と、リモコン１１と、リモコン受信部１２と、表示部１３と、制動制御部１５と、上記各部を制御するための制御部２０とを備えている。
【００１９】
ディスク挿入検知部２は、光ディスクが不図示のディスク挿入部から挿入されてディスクトレイに載置されたことを検出し、その信号を制御部２０へ入力する。なお、挿入された光ディスク７０は、スピンドルモータ３に装着される。スピンドルモータ３は、制御部２０からの指示に従い回転駆動され、装着された光ディスク７０が所定速度で回転するように制御する。
【００２０】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００２１】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００２２】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２３】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２４】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００２５】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク面からのずれ量に対応する信号であり、トラックエラー信号は、集光点の記録トラックからのずれ量に対応する信号である。
【００２６】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００２７】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００２８】
リモコン１１は、光ディスク記録再生装置１の各種の動作を操作するためのものであり、各種の動作を操作するための操作キー（何れも不図示）を備えている。リモコン１１は、これらのキーの操作に応じて、対応する信号を赤外線信号で送出する。リモコン受信部１２は、リモコン１１から送出される赤外線信号を受信し、その信号を制御部２０へ出力する。表示部１３は、光ディスク記録再生装置１本体のフロントパネルに設けられ、リモコン１１により操作された内容や光ディスク記録再生装置１の動作状況等を表示する。
【００２９】
なお、制御部２０は、図示しない各種動作の実行を指示するための制御プログラムあるいは初期動作を実行するための制御プログラム等、種々の制御プラグラムが格納する記憶部を有しているものとする。
【００３０】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００３１】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３２】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３３】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３４】
図２は、本発明の実施の形態に従う光ディスクの回転を停止させるための制動制御部の構成を説明する図である。
【００３５】
図２を参照して、本発明の実施の形態に従う制動制御部１５は、光ディスクの回転停止動作の際にクランパと当接する制動部材である摩擦部材１７と、制御部２０からの指示のもとクランパ７５と当接するために摩擦部材１７を押圧するための押圧機構１６とを含む。なお、ここで、摩擦部材としてはシリコンゴム等の弾性を有する部材を用いることが可能である。あるいは、フェルトまたはスポンジ等を用いることも可能である。
【００３６】
光ディスクの回転の停止動作について説明する。制御部２０からの指示に応答して押圧機構１６が動作して摩擦部材１７をクランパ７５に当接する。そうすると、摩擦部材１７によりクランパ７５に制動力が付与される。
【００３７】
クランパ７５に制動力が付与されると、クランパ７５によりターンテーブル８０および光ディスク７０に対しても制動力が付与される。
【００３８】
そして、本発明の実施の形態においては、スピンドルモータ３を、光ディスクの回転の停止動作の際に単に停止させるのではなく、光ディスク７０の回転を高速に停止させるためにターンテーブルが回転する方向の回転方向と逆向きに回転力が付与されるようにモータの回転を所定期間制御する。そして、所定期間経過後スピンドルモータ３の回転を停止する。
【００３９】
このターンテーブルが回転する方向と逆向きに回転力を付与するモータの回転制御によりより高速に光ディスク７０の回転を高速に停止させることが可能となる。
【００４０】
所定期間は、摩擦部材１７をクランパ７５に当接することによる制動力および光ディスク７０の回転速度に基づいてスピンドルモータ３がターンテーブルに対して逆向きに回転力を付与することによりターンテーブルが逆向きに回転しない期間に設定することができる。
【００４１】
図３は、本発明の実施の形態に従う別の制動制御部を説明する図である。
図３を参照して、図２の制動制御部１５と比較して、制動制御部１５＃に置換した点が異なる。
【００４２】
制動制御部１５＃は、摩擦部材１７と、押圧機構１６＃と、押下制御部１８とを含む。
押圧機構１６＃は、外部からの押下により摩擦部材１７を押圧するものである。押下制御部１８は、制御部２０の指示のもと装置の状態に応じて押圧機構の押下を可能あるいは不可能に制御する。
【００４３】
図４は、押圧機構１６＃および押下制御部１８の構成の一例図である。
図４を参照して、押圧機構１６＃は、装置のシャーシ２３に設けられた貫通穴に摺動可能なように設けられた押し釦２１と、コイルスプリング２２とを含む。押し釦２１は、摩擦部材１７と接合されて外部からの押下指示により摩擦部材１７をクランパ７５に当接可能なように配設されている。また、コイルスプリング２２は、一方側がシャーシ２３と連結され他方側が押し釦２１と連結されて押し釦２１に対して外部からの指示がない場合には、弾性力により押し釦２１と接合された摩擦部材１７をクランパ７５から離間するように配設されている。
【００４４】
また、押下制御部１８は、制御部２０からの指示のもと摺動可能なロックバー１９を有し、ロックバー１９は、指示により押し釦２１に設けられた突起部と接触して、接触した際には押し釦２１を押下不能な状態に固定するすなわちロックするように設けられている。一方、制御部２０からの指示に応答してこのロックが解除される。
【００４５】
本発明の制動制御部１５＃は、光ディスクの回転の停止動作が実行される前までは、押下制御部１８のロックバー１９が押し釦２１の突起部と接触して固定され押し釦２１を押下不可能な状態に設定している。これにより、たとえば記録／再生中に意図せず押し釦２１を押下して光ディスクの回転を停止させる状態となることを防止することができる。
【００４６】
一方、光ディスクの回転の停止動作が実行される場合には、ロックバー１９のロックを解除する。これにより、押し釦２１は、摺動可能状態となる。そして、外部からの押下指示により摩擦部材１７をクランパ７５に当接して光ディスクの回転を制動することが可能である。他の点は上述したのと同様であるのでその詳細な説明は繰り返さない。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】本発明の実施の形態に従う光ディスク記録再生装置の概略ブロック図である。
【図２】本発明の実施の形態に従う光ディスクの回転を停止させるための制動制御部の構成を説明する図である。
【図３】本発明の実施の形態に従う別の制動制御部を説明する図である。
【図４】押圧機構１６＃および押下制御部１８の構成の一例図である。
【符号の説明】
【００４９】
１  光ディスク記録再生装置、２  ディスク挿入検知部、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、１５，１５＃  制動制御部、１６，１６＃  押圧機構、１７  摩擦部材、１８  押下制御部、１９  ロックバー、２０  制御部、２１  押し釦、２２  コイルスプリング、２３  シャーシ。
【図１】
2007058953.tif 000003
【図２】
2007058953.tif 000004
【図３】
2007058953.tif 000005
【図４】
2007058953.tif 000006